(57)【要約】【課題】スマートメータが取得した検針値のきめ細かな管理を、簡便かつ自動的に実現することが可能なデータ管理装置を提供する。【解決手段】１つ以上のスマートメータ１０と、データ収集通信装置２０と、メータデータ管理装置３０とを備えるデータ管理システム１であって、メータデータ管理装置３０は、スマートメータ１０が需要先に取り付けられて以降、最初に受信したメータデータの直前のメータデータに含まれる指示数データとして、庫出指示数データを補間する補間部３３０を備える。【選択図】図１
2020057940.tif 000002
【特許請求の範囲】
【請求項１】
１つ以上のスマートメータと、データ収集通信装置と、メータデータ管理装置とを備えるデータ管理システムであって、
前記スマートメータは、
電力使用量に対応する指示数を所定時間毎に取得する指示数取得部と、
前記指示数を示す指示数データと前記指示数の取得日時を示す取得日時データとを含むメータデータを、前記データ収集通信装置に送信する送信部とを備え、
前記データ収集通信装置は、
前記１つ以上のスマートメータから、前記メータデータを受信する受信部と、
前記受信部が前記１つ以上のスマートメータから受信した前記メータデータを、前記メータデータ管理装置に送信する送信部と、を備え、
前記メータデータ管理装置は、
前記スマートメータを庫出した時点の指示数である庫出指示数を記憶する記憶部と、
前記データ収集通信装置から前記メータデータを受信する受信部と、
前記スマートメータが需要先に取り付けられて以降、前記受信部が最初に受信した前記メータデータの直前のメータデータに含まれる指示数データとして、前記庫出指示数を示す庫出指示数データを補間する補間部と、を備える、データ管理システム。
【請求項２】
前記メータデータ管理装置は、
前記スマートメータが需要先に取り付けられてから、前記スマートメータと前記メータデータ管理装置との間の通信が確立するまでの間に、前記スマートメータが取得したメータデータの再収集を、前記スマートメータと前記メータデータ管理装置との通信が確立した後に、前記データ収集通信装置に対し指示する再収集指示部を更に備え、
前記補間部は、前記データ収集通信装置から再収集されたメータデータの直前のメータデータに含まれる指示数データとして、前記庫出指示数データを補間する、請求項１に記載のデータ管理システム。
【請求項３】
前記補間部は、前記庫出指示数データを補間したメータデータに含まれる日時データを、前記スマートメータの取付日時に対応する指示数管理開始日時として登録する、請求項１又は２に記載のデータ管理システム。
【請求項４】
前記記憶部は、前記スマートメータを庫入した時点の指示数である庫入指示数を更に記憶し、
前記補間部は、前記スマートメータが需要先から取り除かれる以前、前記受信部が最後に受信した前記メータデータの直後のメータデータに含まれる指示数データとして、前記庫入指示数を示す庫入指示数データを補間する、請求項１〜３のいずれか１項に記載のデータ管理システム。
【請求項５】
前記メータデータ管理装置の前記受信部は、前記スマートメータが需要先から取り除かれた後に、携帯端末によって前記スマートメータから取得されたメータデータを受信し、
前記補間部は、前記携帯端末によって取得されたメータデータの直後のメータデータに含まれる指示数データとして、前記庫入指示数データを補間する、請求項４に記載のデータ管理システム。
【請求項６】
前記補間部は、前記庫入指示数データを補間したメータデータに含まれる日時データを、前記スマートメータの取除日時に対応する指示数管理終了日時として登録する、請求項４又は５に記載のデータ管理システム。
【発明の詳細な説明】
【技術分野】
【０００１】
本発明は、１つ以上のスマートメータと、データ収集通信装置と、メータデータ管理装置とを備えるデータ管理システムに関する。
【背景技術】
【０００２】
従来、電力の需要家が使用した電力使用量を把握する上で、スマートメータが普及するまでは、検針員による現地での目視検針が行われており、目視された検針値をハンディターミナル等によってホストコンピュータへ格納していた。
【０００３】
スマートメータの普及に伴い、目視検針から自動検針へ徐々に移行しており、扱う検針値も月毎のものから３０分毎の検針値へと変わってきている。現地での目視検針が行われなくなることにより、大幅な作業省力化が測れる一方、これまで人間系での判断によりフォローできていた部分を、いかにしてフォローアップしていくかが課題となっている。また、扱う検針データの量が膨大となることにより、効率よく検針データを収集する工夫が求められている。
【０００４】
スマートメータを需要先に取り付けると、通常、取り付けと同時に電力使用量に対応する所定時間毎の指示数の取得を開始するが、スマートメータを取り付けてから、スマートメータとメータデータ管理装置（ＭＤＭＳ）との間の通信が確立するまでタイムラグが存在するため、スマートメータの取り付け以降、メータデータ管理装置がスマートメータから最初に指示数を受信するまでの電力使用量を自動的に算出することは、従来困難であった。また、需要先に出向してハンディターミナル等を用いることにより、スマートメータ取り付け時の指示数を手動で取得する方法も考えられるが、作業が煩雑であった。
【０００５】
この点、例えば特許文献１は、計測器とサーバとの通信が確立していない期間は、計測器が計測した検針データを、計測器に接続されたコンセントレータが収集し、計測器とサーバとの通信が確立した後、コンセントレータが収集した検針データをサーバに送信する技術を開示している。
【先行技術文献】
【特許文献】
【０００６】
【特許文献１】特開２０１４−１５４１１４号公報
【発明の概要】
【発明が解決しようとする課題】
【０００７】
しかし、スマートメータの需要先への取り付けから、メータデータ管理装置による最初のメータデータの受信までの間の電力使用量を算出するために、特許文献１の技術を援用した場合、スマートメータを需要先に取り付けるのみならず、スマートメータに接続するコンセントレータ、及びスマートメータとコンセントレータとの間のネットワークをわざわざ設置する必要があり、手続きが煩雑である。とりわけ、上記のようにスマートメータ取り付け時の指示数を、ハンディターミナル等を用いて手動で取得する方法よりも、更に手続きが煩雑であるのみならず、経済的コストや装置設置のための時間的コストも嵩む。
【０００８】
本発明は、スマートメータとメータデータ管理装置との通信が確立していない期間にスマートメータが取得した検針値のきめ細かな管理を、簡便かつ自動的に実現することが可能なデータ管理システムを提供することを目的とする。
【課題を解決するための手段】
【０００９】
（１）  １つ以上のスマートメータと、データ収集通信装置と、メータデータ管理装置とを備えるデータ管理システムであって、前記スマートメータは、電力使用量に対応する指示数を所定時間毎に取得する指示数取得部と、前記指示数を示す指示数データと前記指示数の取得日時を示す取得日時データとを含むメータデータを、前記データ収集通信装置に送信する送信部とを備え、前記データ収集通信装置は、前記１つ以上のスマートメータから、前記メータデータを受信する受信部と、前記受信部が前記１つ以上のスマートメータから受信した前記メータデータを、前記メータデータ管理装置に送信する送信部と、を備え、前記メータデータ管理装置は、前記スマートメータを庫出した時点の指示数である庫出指示数を記憶する記憶部と、前記データ収集通信装置から前記メータデータを受信する受信部と、前記スマートメータが需要先に取り付けられて以降、前記受信部が最初に受信した前記メータデータの直前のメータデータに含まれる指示数データとして、前記庫出指示数を示す庫出指示数データを補間する補間部と、を備える、データ管理システム。
【００１０】
（１）によれば、スマートメータを需要先に取り付けて以降、メータデータ管理装置がスマートメータからのメータデータを最初に受信するまでの間の電力使用量を推定するために有用なデータを自動的に管理することが可能となる。
【００１１】
（２）  前記メータデータ管理装置は、前記スマートメータが需要先に取り付けられてから、前記スマートメータと前記メータデータ管理装置との間の通信が確立するまでの間に、前記スマートメータが取得したメータデータの再収集を、前記スマートメータと前記メータデータ管理装置との通信が確立した後に、前記データ収集通信装置に対し指示する再収集指示部を更に備え、前記補間部は、前記データ収集通信装置から再収集されたメータデータの直前のメータデータに含まれる指示数データとして、前記庫出指示数データを補間することが好ましい。
【００１２】
（２）によれば、スマートメータを需要先に取り付けて以降、メータデータ管理装置がスマートメータからのメータデータを最初に受信するまでの間の電力使用量を推定するためのデータの管理を、よりきめ細かく実行することが可能となる。
【００１３】
（３）  前記補間部は、前記庫出指示数データを補間したメータデータに含まれる日時データを、前記スマートメータの取付日時に対応する指示数管理開始日時として登録することが好ましい。
【００１４】
（３）によれば、例えばスマートメータの在庫管理に用いる取付日時のデータを自動的に設定することが可能となる。
【００１５】
（４）  前記記憶部は、前記スマートメータを庫入した時点の指示数である庫入指示数を更に記憶し、前記補間部は、前記スマートメータが需要先から取り除かれる以前、前記受信部が最後に受信した前記メータデータの直後のメータデータに含まれる指示数データとして、前記庫入指示数を示す庫入指示数データを補間することが好ましい。
【００１６】
（４）によれば、メータデータ管理装置がスマートメータからのメータデータを最後に受信して以降、スマートメータを需要先から取り外すまでの間の電力使用量を推定するために有用なデータを自動的に管理することが可能となる。
【００１７】
（５）  前記メータデータ管理装置の前記受信部は、前記スマートメータが需要先から取り除かれた後に、携帯端末によって前記スマートメータから取得されたメータデータを受信し、前記補間部は、前記携帯端末によって取得されたメータデータの直後のメータデータに含まれる指示数データとして、前記庫入指示数データを補間することが好ましい。
【００１８】
（５）によれば、メータデータ管理装置がスマートメータからのメータデータを最後に受信して以降、スマートメータを需要先から取り外すまでの間の電力使用量を推定するためのデータの管理を、よりきめ細かく実行することが可能となる。
【００１９】
（６）  前記補間部は、前記庫入指示数データを補間したメータデータに含まれる日時データを、前記スマートメータの取除日時に対応する指示数管理終了日時として登録することが好ましい。
【００２０】
（６）によれば、例えばスマートメータの在庫管理に用いる取除日時のデータを自動的に設定することが可能となる。
【発明の効果】
【００２１】
本発明によれば、スマートメータとメータデータ管理装置との通信が確立していない期間にスマートメータが取得した検針値のきめ細かな管理を、簡便かつ自動的に実現することが可能なデータ管理システムを提供することが可能となる。
【図面の簡単な説明】
【００２２】
【図１】本発明の実施形態に係るデータ管理システムの全体構成と発明の概要を示す図である。
【図２】本発明の実施形態に係るデータ管理システムに備わるスマートメータの機能ブロック図である。
【図３】本発明の実施形態に係るデータ管理システムに備わるデータ収集通信装置の機能ブロック図である。
【図４】本発明の実施形態に係るデータ管理システムに備わるメータデータ管理装置の機能ブロック図である。
【図５Ａ】本発明の実施形態における庫出指示数の補間方法の説明図である。
【図５Ｂ】本発明の実施形態において庫出指示数を補間した後に検出される例外データの例を示す説明図である。
【図５Ｃ】本発明の実施形態において庫出指示数を補間した後に検出される例外データの例を示す説明図である。
【図６】本発明の実施形態におけるスマートメータのデータ保持可能期間とスマートメータが保持している指示数データとの関係を示す図である。
【図７】本発明の実施形態に係るデータ管理システムの動作を示すフローチャートである。
【図８Ａ】本発明の実施形態における庫入指示数の補間方法の説明図である。
【図８Ｂ】本発明の実施形態において庫入指示数が例外データだった場合の説明図である。
【図９】本発明の実施形態に係るデータ管理システムの動作を示すフローチャートである。
【発明を実施するための形態】
【００２３】
以下、本発明の実施形態について各図面を参照しながら詳述する。
〔１  発明の構成〕
〔１．１  全体構成〕
図１は、本発明の実施形態に係るデータ管理システム１の全体構成図である。
データ管理システム１は、スマートメータ１０と、データ収集通信装置２０と、メータデータ管理装置（ＭＤＭＳ）３０とを備える。なお、図示はしないが、スマートメータ１０とデータ収集通信装置２０、及びデータ収集通信装置２０とメータデータ管理装置（ＭＤＭＳ）３０とは、互いにネットワークを介して接続される。
【００２４】
スマートメータ１０は、需要家において使用された電力使用量をデジタルで計測するための装置である。スマートメータ１０は、通常のスマートメータと同様に、自動検針機能のほか、図示はしないが、発生したイベントを検知する機能や、スマートメータ１０の管理箇所からのリモートでの接続・切断を可能とする機能や、家電装置と連携する機能を有する。
【００２５】
更に、スマートメータ１０は、電力使用量に対応する指示数を取得すると共に、取得した指示数を示す指示数データと、指示数の取得日時を示す取得日時データを含むメータデータを、スマートメータ１０の記憶部１４０に格納する。メータデータは、データ収集通信装置２０を介して、メータデータ管理装置３０に送信される。
【００２６】
データ収集通信装置２０は、例えば「ＨＥＳ（Ｈｅａｄ  Ｅｎｄ  Ｓｙｓｔｅｍ）」とも呼称され、１つ以上のスマートメータ１０に接続し、当該１つ以上のスマートメータ１０からメータデータを収集すると共に、データ通信を制御する。
【００２７】
メータデータ管理装置３０は、データ収集通信装置２０を介してスマートメータ１０からメータデータを受信し、記憶部３６０に格納する。また、メータデータ管理装置３０は、記憶部３６０に格納されたメータデータを管理・分析し、データベース化すると共に、例えば、当該データベースに基づいて電力使用量を算出したり、他のシステムとのデータ連携を行ったりする。
【００２８】
更に、メータデータ管理装置３０の制御部３１０は、各スマートメータ１０からの指示数データの再収集をデータ収集通信装置２０に指示したり、収集した一連のメータデータに、指示数データとして庫出指示数データや庫入指示数データを補間したりする。
【００２９】
〔１．２  各部の構成〕
図２は、スマートメータ１０の機能ブロックを示す。スマートメータ１０は、制御部１１０と記憶部１４０とを備える。制御部１１０は、指示数取得部１２０と、送信部１３０とを備える。
【００３０】
制御部１１０は、ＣＰＵ、ＲＯＭ、ＲＡＭ、ＣＭＯＳメモリ等を有し、これらはバスを介して相互に通信可能に構成される、当業者にとって公知のものである。
【００３１】
ＣＰＵはスマートメータ１０を全体的に制御するプロセッサである。該ＣＰＵは、ＲＯＭに格納されたシステムプログラムを、バスを介して読み出し、該システムプログラムに従ってスマートメータ１０全体を制御することで、図２に示すように制御部１１０を、指示数取得部１２０及び送信部１３０の機能を実現するように構成される。
【００３２】
指示数取得部１２０は、スマートメータ１０が設置された建物等の設備で使用された電力使用量に対応する指示数を取得する。例えば、指示数取得部１２０は、取得間隔が３０分毎である場合、３０分毎の指示数である３０分指示数を取得する。この場合、ある時刻に取得された３０分指示数と、当該時刻から３０分後に取得された３０分指示数との差は、この間の３０分間の電力使用量に対応する。
【００３３】
送信部１３０は、指示数取得部１２０によって取得された指示数を示す指示数データ、及び、指示数取得部１２０によって指示数が取得された日時を示す取得日時データを含むメータデータ１５０をデータ収集通信装置２０に送信する。
【００３４】
上記の繰り返しとなるが、記憶部１４０はメータデータ１５０を格納する。
【００３５】
図３は、データ収集通信装置２０の機能ブロックを示す。データ収集通信装置２０は、受信部２１０と、送信部２２０とを備える。
【００３６】
受信部２１０は、１つ以上のスマートメータ１０から、上記のメータデータ１５０を受信する。また、送信部２２０は、１つ以上のスマートメータ１０から受信したメータデータ１５０を、まとめてメータデータ管理装置３０に送信する。
【００３７】
図４は、メータデータ管理装置３０の機能ブロックを示す。メータデータ管理装置３０は、制御部３１０と、記憶部３６０とを備える。制御部３１０は、受信部３１５と、再収集指示部３２０と、判定部３２５と、補間部３３０と、例外データ検出部３３５と、格納部３４０とを備える。記憶部３６０は、メータデータ３６５と、マスタデータ３７０と、庫出指示数データ３７５と、庫入指示数データ３８０とを格納する。
【００３８】
制御部３１０は、ＣＰＵ、ＲＯＭ、ＲＡＭ、ＣＭＯＳメモリ等を有し、これらはバスを介して相互に通信可能に構成される、当業者にとって公知のものである。
【００３９】
ＣＰＵはメータデータ管理装置３０を全体的に制御するプロセッサである。該ＣＰＵは、ＲＯＭに格納されたシステムプログラムを、バスを介して読み出し、該システムプログラムに従ってスマートメータ１０全体を制御することで、図４に示すように制御部１１０を、受信部３１５と、再収集指示部３２０と、判定部３２５と、補間部３３０と、例外データ検出部３３５と、格納部３４０の機能を実現するように構成される。
【００４０】
受信部３１５は、データ収集通信装置２０から、スマートメータ１０毎のメータデータを受信する。
【００４１】
再収集指示部３２０は、スマートメータ１０が需要先に取り付けられてから、スマートメータ１０とメータデータ管理装置３０との通信が確立するまでの間にスマートメータ１０が取得したメータデータの再収集を、スマートメータ１０とメータデータ管理装置３０との通信が確立した後に、データ収集通信装置２０に対して指示する。
【００４２】
判定部３２５は、スマートメータ１０の需要先への取り付けから、再収集指示部３２０によって再収集された一連のメータデータの末尾のメータデータの取得日時（スマートメータ１０での取得日時）までの期間が、スマートメータ１０のデータ保持可能期間を超えているか否かを判定する。
【００４３】
補間部３３０は、受信部３１５によって受信された一連のメータデータの先頭の直前のコマに、後述の記憶部３６０に格納された庫出指示数データ３７５を補間する。とりわけ、補間部３３０は、判定部３２５によって、スマートメータ１０の需要先への取り付けから、再収集された一連のメータデータの末尾のメータデータの取得日時（スマートメータ１０での取得日時）までの期間が、スマートメータ１０のデータ保持可能期間以内であると判定された場合に、再収集された一連のメータデータの先頭の直前のコマに、庫出指示数データ３７５を補間するとよい。
また、補間部３３０は、受信部３１５によって受信された一連のメータデータの末尾の直後のコマに、後述の記憶部３６０に格納された庫入指示数データ３８０を補間する。とりわけ、補間部３３０は、スマートメータ１０の需要先からの取り外し後、例えばハンディターミナルを用いることにより、スマートメータ１０とメータデータ管理装置３０との間の通信が途絶えた後の一連のメータデータを、スマートメータ１０から手動で取得し、取得された一連のメータデータの末尾の直後のコマに、庫入指示数データ３８０を補間するとよい。
補間部３３０によって実行される補間方法の詳細は、以下の〔２．一連のメータデータの直前のコマへの補間方法〕及び〔３．一連のメータデータの直後への補間方法〕で詳述する。
【００４４】
例外データ検出部３３５は、受信部３１５によって受信されたメータデータ中の例外データを検出する。具体的には、例外データ検出部３３５は、再収集指示部３２０によって再収集された一連のメータデータの先頭のコマのメータデータに含まれる指示数データが例外データであると検出することが可能である。また、例外データ検出部３３５は、一連のメータデータの先頭の直前のコマに補間すべき庫出指示数データが例外データであると検出することが可能である。また、例外データ検出部３３５は、一連のメータデータの末尾の直後のコマに補間すべき庫入指示数データが例外データであると検出することが可能である。
【００４５】
格納部３４０は、受信部３１５によって受信したメータデータ３６５等を、記憶部３６０に格納する。
【００４６】
メータデータ３６５は、例えばデータ収集通信装置２０を介して、スマートメータ１０から受信したメータデータである。
マスタデータ３７０は、スマートメータ１０を管理する台帳となるデータである。
庫出指示数データ３７５は、スマートメータ１０を庫出した時点での指示数を示すデータである。
庫入指示数データ３８０は、スマートメータ１０を庫入した時点での指示数を示すデータである。
庫出指示数データ３７５と庫入指示数データ３８０は、例えばメータデータ管理装置３０に接続された配電システム等から受信部３１５が受信することにより、取得することが可能である。
【００４７】
〔２．一連のメータデータの直前のコマへの補間方法〕
以下、図５Ａ〜図７を参照することにより、補間部３３０による、一連のメータデータの先頭の直前のコマへの庫出指示数データの補間方法について説明する。
【００４８】
〔２．１  通常の補間〕
図５Ａは、通常の補間方法を示すデータテーブルである。図５Ａに示すように、３月１３日の２１：００から３月１３日の２１：３０の間に、スマートメータ１０がメータデータ管理装置３０との間のネットワークに参入した場合、３月１３日の２１：３０以降のメータデータについては、メータデータ管理装置３０が逐次受信することが可能であるが、３月１３日の２１：００以前のメータデータ、より具体的には、スマートメータ１０を需要先に設置してから、スマートメータ１０とメータデータ管理装置３０との通信が確立するまでのメータデータについては、メータデータ管理装置３０はそのままでは取得できない。
【００４９】
そこで、再収集指示部３２０がデータ収集通信装置２０に対し、スマートメータ１０の庫出以降、スマートメータ１０がネットワークに参入するまでの間のメータデータの再収集を指示する。これにより、図５Ａに示すように、メータデータ管理装置３０は、３月１３日の９：３０から３月１３日の２１：００までのメータデータを取得できる。
【００５０】
しかし、これだけではメータデータ管理装置３０は、スマートメータ１０が需要先に設置されてから、スマートメータ１０が最初に指示数を取得するまでの間の電力使用量を算出することができない。
【００５１】
そこで、補間部３３０は、再収集された一連のメータデータの先頭である、３月１３日の９：３０のメータデータの直前のコマに、庫出指示数データを補間する。更に、補間部３３０は、庫出指示数データを補間したコマの日時である３月１３日の９：００を、指示数管理開始日時として登録する。
【００５２】
庫出指示数データが補間されたコマのメータデータを用いることにより、メータデータ管理装置３０は、スマートメータ１０が需要先に設置されてから、スマートメータ１０が最初に指示数を取得するまでの間の電力使用量を算出することが可能となる。より具体的には、図５Ａに示される例を用いて説明すると、３月１３日の９：００のコマの庫出指示数と、３月１３日の９：３０のコマの指示数との差分が、スマートメータ１０が需要先に設置されてから最初に指示数を取得するまでの間の電力使用量に対応する。
【００５３】
〔２．２  例外データの検出〕
図５Ｂ及び図５Ｃは、例外データの例を示す。
【００５４】
図５Ｂに示すように、再収集指示部３２０によって、スマートメータ１０の庫出以降、スマートメータ１０がネットワークに参入するまでの間のメータデータが再収集されたものの、例えば、再収集された一連のメータデータのうち、先頭のメータデータに含まれる指示数が、その次のメータデータに含まれる指示数よりも大きくなる等、再収集された一連のメータデータ内で、コマとコマの間で指示数の不整合が発生する場合がある。
【００５５】
この場合、例外データ検出部３３５は、先頭のメータデータに含まれる指示数データを例外データとして検出する。補間部３３０は、この例外データを含む先頭のメータデータの直前のコマに、庫出指示数データを補間すると共に、庫出指示数データを補間したコマの時刻を、指示数管理開始日時として登録する。
なお、メータデータ管理装置３０は、電力使用量算出の際、例外データである３月１４日の９：３０の指示数データを用いない。
【００５６】
図５Ｃに示すように、再収集指示部３２０によって、スマートメータ１０の庫出以降、スマートメータ１０がネットワークに参入するまでの間のメータデータが再収集された後、補間部３３０によって、一連のメータデータの先頭の直前のコマに庫出指示数データが補間されたものの、補間された庫出指示数が、再収集された一連のメータデータの先頭のコマの指示数よりも大きくなる等、庫出指示数と、再収集されたメータデータに含まれる指示数との間で指示数の不整合が発生する場合がある。
【００５７】
この場合、例外データ検出部３３５は、庫出指示数データを例外データとして検出する。この庫出指示数データは例外データとして検出されるものの、補間部３３０は、この庫出指示数データを補間したコマの時刻を、指示数管理開始日時として登録する。
なお、メータデータ管理装置３０は、電力使用量算出の際、この例外データ、すなわち庫出指示数データを用いない。
【００５８】
なお、例外データ検出部３３５は、指示数データ自体の間で不整合が発生した場合だけではなく、指示数データの取得日時のデータ間で不整合が発生した場合に、例外データを検出してもよい。
【００５９】
〔２．３  補間しない場合〕
図６は、スマートメータ１０のデータ保持可能期間と、スマートメータ１０に実際に保持されている指示数データとの関係を示す。
【００６０】
スマートメータ１０は記憶装置として記憶部１４を備えるが、記憶部１４が指示数データを記憶する容量には限度があるため、記憶部１４は先入先出方式で、新たに指示数データを記憶した際、最も古くに記憶部１４に格納された指示数データを削除する。これにより、記憶部１４は、各々の指示数データにとって均一のデータ保持期間を有する。
【００６１】
図６の（ａ）に示すように、スマートメータ１０の取り付けから、再収集された一連のメータデータのうち末尾のメータデータの取得日時までの期間が、記憶部１４のデータ保持期間に収まっている場合には、スマートメータ１０は、需要先に取り付けられて以降の全ての指示数データを記憶しているため、再収集指示部３２０の再収集指示によって、スマートメータ１０が需要先に取り付けられて以降の全ての指示数データを再収集することが可能となる。
【００６２】
この場合、補間部３３０は、再収集された一連のメータデータの先頭の直前のコマに、庫出指示数データを補間することにより、スマートメータ１０が需要先に取り付けられて以降、スマートメータ１０が最初に指示数を取得するまでの間の電力使用量を算出することが可能となる。また、庫出指示数データが補間されたコマの日時を指示数管理開始日時として登録することにより、近似的に、この指示数管理開始日時をスマートメータ１０の取付日時としてみなすことが可能となる。
【００６３】
一方で、図６の（ｂ）に示すように、スマートメータ１０の取り付けから、再収集された一連のメータデータのうち末尾のメータデータの取得日時までの期間が、記憶部１４のデータ保持期間を超えた場合には、データ保持期間を超えた指示数データは削除される。この場合、再収集指示部３２０の再収集指示によって、スマートメータ１０が需要先に取り付けられて以降の全ての指示数データを再収集することは不可能となる。とりわけ、スマートメータ１０が最初に取得した指示数データを再収集することはできない。
【００６４】
この場合、補間部３３０は、再収集された一連のメータデータの先頭の直前のコマに庫出指示数データを補間しても、スマートメータ１０が需要先に取り付けられて以降、スマートメータ１０が最初に指示数を取得するまでの間の電力使用量を算出することが不可能となる。また、庫出指示数が補間されたコマの時刻を指示数管理開始日時として登録しても、この指示数管理日時をスマートメータ１０の取付日時としてみなすことはできない。
【００６５】
そこで、判定部３２５は、スマートメータ１０の需要先への取り付けから、再収集指示部３２０の指示によって再収集された一連のメータデータの末尾のメータデータの取得日時（スマートメータ１０での取得日時）までの期間と、スマートメータ１０（記憶部１４０）のデータ保持可能期間とを比較し、前者の期間が後者の期間内に収まっている場合にのみ、補間部３３０は、再収集された一連のメータデータの先頭の直前のコマに、庫出指示数データを補間してもよい。
【００６６】
一方で、仮に前者の期間が後者の期間を超えたとしても、指示数管理開始日時をスマートメータ１０の取付日時として近似することはできないものの、庫出指示数データと、スマートメータ１０に保持された指示数データの中で最も古い指示数データとを用いることにより、スマートメータ１０の取付日時から、スマートメータ１０に保持された指示数データの中で最も古い指示数データの取得日時までの電力使用量を算出することは可能である。したがって、仮に前者の期間が後者の期間を超えたとしても、補間部３３０は、再収集された一連のメータデータの先頭の直前に、庫出指示数データを補間してもよい。
【００６７】
〔２．４  一連のメータデータの直前に補間する場合の動作〕
図７は、一連のメータデータの先頭の直前のコマに庫出指示数データを補間する場合の、データ管理システム１の動作例を示すフローチャートである。
【００６８】
ステップＳ１において、メータデータ管理装置３０の再収集指示部３２０は、データ収集通信装置２０に対し、スマートメータ１０の庫出以降、スマートメータ１０がネットワークに参入するまでの間のメータデータの再収集を指示する。これにより、メータデータ管理装置３０の受信部３１５は、スマートメータ１０から、データ収集通信装置２０を介して、スマートメータ１０の庫出以降、スマートメータ１０がネットワークに参入するまでの間のメータデータを受信する。
【００６９】
ステップＳ２において、メータデータ管理装置３０の判定部３２５によって、スマートメータ１０の需要先への取り付けから、再収集された一連のメータデータの末尾のメータデータの取得日時（スマートメータ１０での取得日時）までの期間が、スマートメータ１０のデータ保持可能期間以内であると判定された場合（Ｓ２：ＹＥＳ）には、処理はステップＳ３に移行する。メータデータ管理装置３０の判定部３２５によって、スマートメータ１０の需要先への取り付けから、再収集された一連のメータデータの末尾のメータデータの取得日時（スマートメータ１０での取得日時）までの期間が、スマートメータ１０のデータ保持可能期間を超えたと判定された場合（Ｓ２：ＮＯ）には、一連の処理は終了する。
【００７０】
ステップＳ３において、補間部３３０は、受信部３１５によって受信された一連のメータデータの先頭の直前のコマに、記憶部３６０に格納された庫出指示数データ３７５を補間する。
【００７１】
ステップＳ４において、例外データ検出部３３５は、再収集指示部３２０の指示によって再収集された一連のメータデータの先頭のメータデータに含まれる指示数データや、補間部３３０によって、再収集された一連のメータデータの先頭の直前に補間された庫出指示数データ等から例外データを検出する。
【００７２】
〔３．一連のメータデータの直後への補間方法〕
以下、図８Ａ〜図９を参照することにより、補間部３３０による、一連のメータデータの末尾の直後のコマへの庫入指示数データの補間方法について説明する。
【００７３】
〔３．１  通常の補間〕
図８Ａは、通常の補間方法を示すデータテーブルである。図８Ａに示すように、３月１３日の９：３０から３月１３日の１０：００の間に需要先からスマートメータ１０を取り除いた場合、３月１３日の９：００から、スマートメータ１０を取り除いた時点に最も近接したコマである３月１３日の９：３０までの期間の電力消費量は、３月１３日の９：００のコマの指示数である“０２７６”と３月１３日の９：３０のコマの指示数である“０２７８”とから算出することが可能である。
【００７４】
しかし、３月１３日の９：３０から、スマートメータ１０を取り除いた時点までの期間の電力消費量は、スマートメータ１０を取り除いた時点での指示数データが存在しないため、これまでは算出することができなかった。
【００７５】
そこで、補間部３３０は、メータデータ管理装置３０の受信部３１５が受信した一連のメータデータの末尾である、３月１３日の９：３０のメータデータの直後のコマに、庫入指示数データを補間する。更に、補間部３３０は、庫入指示数データを補間したコマの日時である３月１３日の１０：００を、指示数管理終了日時として登録し、この指示数管理終了日時を、スマートメータ１０の取除日時としてみなすことが可能となる。
【００７６】
庫入指示数が補間されたコマのメータデータを用いることにより、メータデータ管理装置３０は、スマートメータ１０が最後に指示数を取得してから、スマートメータ１０が需要先から取り除かれる時点までの間の電力使用量を算出することが可能となる。
【００７７】
なお、庫入指示数データは、メータデータ管理装置３０の受信部３１５が受信した一連のメータデータの末尾の直後のコマに補間されてもよいが、スマートメータ１０を庫入した後、例えばハンディターミナル等を用いることにより、スマートメータ１０から、メータデータ管理装置３０によって最後にメータデータが受信されて以降のメータデータを手動で取得し、この手動で取得された一連のメータデータの末尾に、庫入指示数データを補間してもよい。
【００７８】
〔３．２  例外データの検出〕
図８Ｂは、例外データの例を示す。
【００７９】
図８Ｂに示すように、メータデータ管理装置３０の受信部３１５が受信した一連のメータデータの末尾、あるいは、スマートメータ１０を需要先から取り除いた後、ハンディターミナル等により手動で取得された一連のメータデータの末尾に庫入指示数を補間しようとしたものの、この庫入指示数データに対応するデータ取得日時が、スマートメータ１０の庫入日時よりも未来の日時であるため、一連のメータデータにおいて庫入日時よりも未来のコマに庫入指示数データが補間される場合がある。
【００８０】
この場合、例外データ検出部３３５は、庫入よりも未来のコマに含まれる庫入指示数データを例外データとして検出する。また、この場合、補間部３３０は、庫入時点の直後のコマの時刻を、指示数管理終了日時として登録する。
なお、メータデータ管理装置３０は、電力使用量算出の際、例外データとしての庫入指示数データを用いない。
【００８１】
〔３．３  一連のメータデータの直後に補間する場合の動作〕
図９は、一連のメータデータの末尾の直後のコマに庫入指示数データを補間する場合の、データ管理システム１の動作例を示すフローチャートである。
【００８２】
ステップＳ１１において、メータデータ管理装置３０によって最後にメータデータが受信された後に、スマートメータ１０によって取得された指示数データを含むメータデータを、例えばハンディターミナル等を用いることにより、スマートメータ１０から手動で取得する。ハンディターミナル等を用いて手動で取得されたメータデータは、例えば、ハンディターミナル等をメータデータ管理装置３０に対して直接的又は間接的に接続することにより、メータデータ管理装置３０に送信される。
【００８３】
ステップＳ１２において、補間部３３０は、一連のメータデータの末尾の直後のコマに庫入指示数データを補間する。更に、補間部３３０は、庫入指示数データを補間したコマの日時を、指示数管理終了日時として登録する。
【００８４】
ステップＳ１３において、例外データ検出部３３５は、庫入よりも未来の日時のコマに庫入指示数データが含まれる場合には、この庫入指示数データを例外データとして検出する。
【００８５】
〔４  効果〕
本実施形態に係るデータ管理システム１において、メータデータ管理装置３０は、スマートメータ１０が需要先に取り付けられて以降、最初に受信したメータデータの直前のメータデータに含まれる指示数データとして、スマートメータ１０の庫出指示数データを補間する。
これにより、スマートメータ１０を需要先に取り付けて以降、メータデータ管理装置３０がスマートメータからのメータデータを最初に受信するまでの間の電力使用量を推定するために有用なデータを自動的に管理することが可能となる。
【００８６】
また、本実施形態によれば、メータデータ管理装置３０は、スマートメータ１０が需要先に取り付けられてから、スマートメータ１０とメータデータ管理装置３０との間の通信が確立するまでの間に、スマートメータ１０が取得したメータデータを再収集し、再収集されたメータデータの直前のメータデータに含まれる指示数データとして、庫出指示数データを補間する。
【００８７】
これにより、スマートメータを需要先に取り付けて以降、メータデータ管理装置がスマートメータからのメータデータを最初に受信するまでの間の電力使用量を推定するためのデータの管理を、よりきめ細かく自動的に実行することが可能となる。
【００８８】
また、本実施形態によれば、メータデータ管理装置３０は、スマートメータ１０が需要先から取り除かれる以前に最後に受信したメータデータの、直後のメータデータに含まれる指示数データとして、スマートメータ１０の庫入指示数データを補間する。
これにより、メータデータ管理装置３０がスマートメータ１０からのメータデータを最後に受信して以降、スマートメータ１０を需要先から取り外すまでの間の電力使用量を推定するために有用なデータを自動的に管理することが可能となる。
【００８９】
また、本実施形態によれば、メータデータ管理装置３０は、スマートメータ１０が需要先から取り除かれた後に、携帯端末によってスマートメータ１０から取得されたメータデータを受信し、携帯端末によって取得されたメータデータの直後のメータデータに含まれる指示数データとして、庫入指示数データを補間する。
これにより、メータデータ管理装置３０がスマートメータ１０からのメータデータを最後に受信して以降、スマートメータ１０を需要先から取り外すまでの間の電力使用量を推定するためのデータの管理を、よりきめ細かく自動的に実行することが可能となる。
【００９０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００９１】
データ管理システム１による制御方法は、ソフトウェアにより実現される。ソフトウェアによって実現される場合には、このソフトウェアを構成するプログラムが、コンピュータにインストールされる。また、これらのプログラムは、リムーバブルメディアに記録されてユーザに配布されてもよいし、ネットワークを介してユーザのコンピュータにダウンロードされることにより配布されてもよい。更に、これらのプログラムは、ダウンロードされることなくネットワークを介したＷｅｂサービスとしてユーザのコンピュータに提供されてもよい。
【符号の説明】
【００９２】
１  データ管理システム
１０  スマートメータ
２０  データ収集通信装置
３０  メータデータ管理装置（ＭＤＭＳ）
３１５  受信部
３２０  再収集指示部
３２５  判定部
３３０  補間部
３３５  例外データ検出部
３４０  格納部
【図１】
2020057940.tif 000003
【図２】
2020057940.tif 000004
【図３】
2020057940.tif 000005
【図４】
2020057940.tif 000006
【図５Ａ】
2020057940.tif 000007
【図５Ｂ】
2020057940.tif 000008
【図５Ｃ】
2020057940.tif 000009
【図６】
2020057940.tif 000010
【図７】
2020057940.tif 000011
【図８Ａ】
2020057940.tif 000012
【図８Ｂ】
2020057940.tif 000013
【図９】
2020057940.tif 000014